(57)【要約】  【課題】背板の上端部が好適に弾性変形し得る構成を有するとともに背板カバーをした場合に当該背板カバーに凹み形状が形成され難い構成を有した椅子を提供する。  【解決手段】椅子の背板が、周縁部に形成された背枠と、この背枠の内側に配された背板本体とを備えている。そして、背枠が、上下方向に延びる左右の側フレーム部と、この側フレーム部の上端部間を繋ぐ上フレーム部とを備えたものであり、背板本体が、正面視において上下方向に延びる複数の帯状部材を備えてなる。複数の帯状部材と前記上フレーム部との間に、前記各帯状部材の上にそれぞれ連設されてなる複数の接続部が設けられてなるものであり、隣り合う前記接続部間に形成されたスリットの幅寸法が、隣り合う前記帯状部材間に形成されたスリットの幅寸法よりも短く設定されている。【選択図】図１８
2018068675.tif 000002
【特許請求の範囲】
【請求項１】
背板を有した背凭れを備えてなる椅子であって、
前記背板が、正面視において上下方向に延びる複数の帯状部材を備えてなるものであり、
前記複数の帯状部材と前記背板の後端部との間に、前記各帯状部材にそれぞれ連設されてなる複数の接続部が設けられてなるものであり、
隣り合う前記接続部間に形成されたスリットの幅寸法が、隣り合う前記帯状部材間に形成されたスリットの幅寸法よりも短く設定されている椅子。
【請求項２】
前記背板が、周縁部に形成された背枠と、この背枠の内側に配された前記複数の帯状部材を有した背板本体とを備えてなり、
前記背枠が、上下方向に延びる左右の側フレーム部と、この側フレーム部の上端部間を繋ぐ前記背板の後端部を構成する上フレーム部とを備えている請求項１記載の椅子。
【請求項３】
前記帯状部材の幅寸法が、前記接続部の幅寸法よりも短く設定されている請求項１又は２記載の椅子。
【請求項４】
前記接続部の前面側が、平滑な湾曲面をなすように形成されている請求項１、２又は３記載の椅子。
【請求項５】
前記背板が、背板カバーに覆われたものである請求項１、２、３又は４記載の椅子。
【請求項６】
前記背枠が、前記左右の側フレーム部の下端部間を繋ぐ下フレーム部を備えたものであり、
前記背板本体が、着座者の腰部分に略対応した上下方向中間位置に配されてなる腰部領域と、この腰部領域よりも上に配されてなり前記接続部の下端部と前記腰部領域の上端部との間に設けられた前記複数の帯状部材を主体に構成された上領域とを備えている請求項１、２、３、４又は５記載の椅子。
【発明の詳細な説明】
【技術分野】
【０００１】
本発明は、オフィス等において好適に使用される椅子に関する。
【背景技術】
【０００２】
従来から、背板を有した背凭れを備えてなる椅子が種々知られている（例えば、特許文献１を参照）。
【０００３】
この種の椅子における背板は、中央部に位置する背板本体と、当該背板本体の外周縁に連設された背枠とを備えたものとなっている。背板本体にはスリット又は貫通孔が適宜設けられており、背枠は正面視において一定の幅寸法を有した枠状に構成されているのが一般的である。
【０００４】
かかる背板は、着座者の荷重を受けた場合でも、背枠だけでなく背板本体の上端部も弾性変形しにくい構造をなしている。
【０００５】
また、この種の背板に対して背板カバーを被覆させるものがある。背板に背板カバーを被覆した場合には、当該背板に形成されたスリットや貫通孔の形状等に起因して、背板カバーに凹み形状が反映されやすい。かかる事情から、背板カバーを被覆する可能性がある背板には、スリット等を形成しにくいものとなっており、その結果として、背板に弾性変形しやすい構造が反映されにくいものとなっている。
【先行技術文献】
【特許文献】
【０００６】
【特許文献１】特開２０１１−０２４９１７号公報
【発明の概要】
【発明が解決しようとする課題】
【０００７】
本発明は、以上のような事情に着目してなされたもので、背板の上端部が好適に弾性変形し得る構成を有するとともに背板カバーをした場合に当該背板カバーに凹み形状が形成され難い構成を有した椅子を提供する。
【課題を解決するための手段】
【０００８】
すなわち、本発明は次の構成をなしている。
【０００９】
請求項１に記載の発明は、背板を有した背凭れを備えてなる椅子であって、前記背板が、正面視において上下方向に延びる複数の帯状部材を備えてなるものであり、前記複数の帯状部材と前記背板の後端部との間に、前記各帯状部材にそれぞれ連設されてなる複数の接続部が設けられてなるものであり、隣り合う前記接続部間に形成されたスリットの幅寸法が、隣り合う前記帯状部材間に形成されたスリットの幅寸法よりも短く設定されている椅子である。
【００１０】
請求項２に記載の発明は、前記背板が、周縁部に形成された背枠と、この背枠の内側に配された前記複数の帯状部材を有した背板本体とを備えてなり、前記背枠が、上下方向に延びる左右の側フレーム部と、この側フレーム部の上端部間を繋ぐ前記背板の後端部を構成する上フレーム部とを備えている請求項１記載の椅子である。
【００１１】
請求項３に記載の発明は、前記帯状部材の幅寸法が、前記接続部の幅寸法よりも短く設定されている請求項１又は２記載の椅子である。
【００１２】
請求項４に記載の発明は、前記接続部の前面側が、平滑な湾曲面をなすように形成されている請求項１、２又は３記載の椅子である。
【００１３】
請求項５に記載の発明は、前記背板が、背板カバーに覆われたものである請求項１、２、３又は４記載の椅子である。
【００１４】
請求項６に記載の発明は、前記背枠が、前記左右の側フレーム部の下端部間を繋ぐ下フレーム部を備えたものであり、前記背板本体が、着座者の腰部分に略対応した上下方向中間位置に配されてなる腰部領域と、この腰部領域よりも上に配されてなり前記接続部の下端部と前記腰部領域の上端部との間に設けられた前記複数の帯状部材を主体に構成された上領域とを備えている請求項１、２、３、４又は５記載の椅子である。
【発明の効果】
【００１５】
以上説明したように本発明によれば、背板本体の上端部が好適に弾性変形し得る構成を有するとともに背板カバーをした場合に当該背板カバーに凹み形状が形成され難い構成を有した椅子を提供することができる。
【図面の簡単な説明】
【００１６】
【図１】本発明の一実施形態を示す斜視図。
【図２】同実施形態における正面図。
【図３】同実施形態における背面図。
【図４】同実施形態における左側面図。
【図５】同実施形態における右側面図。
【図６】同実施形態における平面図。
【図７】同実施形態における底面図。
【図８】同実施形態における背凭れの正面図。
【図９】同実施形態の位置決め機構の作用説明用の左側面図。
【図１０】図５におけるＸ−Ｘ線概略断面図。
【図１１】図８におけるＹ−Ｙ線概略断面図。
【図１２】図８におけるＺ−Ｚ線概略断面図。
【図１３】図１１における下端部の部分拡大図。
【図１４】図１２における左端部の部分拡大図。
【図１５】同実施形態における背凭れの分解斜視図。
【図１６】同実施形態における背凭れの分解右側面図。
【図１７】同実施形態における位置決め機構の分解斜視図。
【図１８】同実施形態における背板等の斜視図。
【図１９】同実施形態における背板等の正面図。
【図２０】同実施形態における部分拡大図。
【図２１】同実施形態における部分拡大図。
【図２２】同実施形態における背板等の背面図。
【図２３】同実施形態における背板等の右側面図。
【図２４】同実施形態における背板の平面図。
【図２５】同実施形態における背板等の底面図。
【図２６】図１９におけるＶ−Ｖ線断面図。
【図２７】同実施形態における一部を破断した背板カバーの斜視図。
【図２８】同実施形態における一部を破断した背板カバーの斜視図。
【図２９】同実施形態における背板カバー等の背面図。
【発明を実施するための形態】
【００１７】
以下、本発明の一実施形態を、図１〜２９を参照して説明する。
【００１８】
この実施形態は、本発明を、オフィス等において使用される事務用回転椅子たる椅子Ａに適用したものである。
【００１９】
椅子Ａは、脚Ｂと、脚Ｂに旋回可能に支持された支持基部Ｃと、支持基部Ｃの上に配された座Ｄと、支持基部Ｃに対して後傾動作可能に支持された背凭れＨとを備えたものである。
【００２０】
以下、この椅子Ａの各構成について詳述する。
【００２１】
＜＜脚Ｂ＞＞
脚Ｂは、先端にキャスタｂ３を有した複数本の脚羽根ｂ１と、脚羽根ｂ１の基端部に立設された脚支柱ｂ２とを備えている。脚支柱ｂ２は、上下方向に伸縮可能に構成されており、支持基部Ｃを上下に位置変更可能に支持している。
【００２２】
＜＜支持基部Ｃ＞＞
支持基部Ｃは、脚Ｂの上端部に接続された金属製のブロック枠状の部材を主体に構成されている。支持基部Ｃには、背凭れＨの回転軸である左右方向に延びた主軸ｊ１が設けられている。
【００２３】
支持基部Ｃの上部には、左右に対をなして配された前リンクＬ１が回動可能に支持されている。前リンクＬ１は前傾した姿勢をなしている。前リンクＬ１の前端部は座Ｄに対して回動可能に接続しており、前リンクＬ１の後端部は支持基部Ｃに対して回動可能に支持されている。
【００２４】
＜＜座Ｄ＞＞
座Ｄは、合成樹脂により作られたシェル状をなす座受ｄ１と、座受ｄ１の上に前後位置を変更可能に設けられたクッション性のある座本体ｄ２とを備えたものである。座Ｄの前部は、前リンクＬ１を介して支持基部Ｃに支持されている。座Ｄの後部は、背凭れＨを構成してなり後リンクＬ２を一体的に設けた背フレーム１を介して支持基部Ｃに支持されている。
【００２５】
座Ｄは、いわゆる体重感知式のロッキング機構Ｆにより、背凭れＨの後傾動作に同期して動くように構成されている。体重感知式のロッキング機構Ｆは、初期状態において、前リンクＬ１と後リンクＬ２とがそれぞれ前傾しており、背凭れＨを後傾させた際に、前リンクＬ１及び後リンクＬ２の作用により座Ｄが全体的に後上方に移動し得るように構成されている。
【００２６】
＜＜背凭れＨ＞＞
背凭れＨは、支持基部Ｃの主軸ｊ１まわりに回動可能に支持されたものである。背凭れＨは、背フレーム１と、背フレーム１の前側に配された背板２と、被カバー体であるとともに板状体である背板２の略全体を覆うカバーたる背板カバー４と、背板カバー４によって被覆されていない背板２における一部分である露出部２６に外装された化粧部材Ｅと、背板２を背フレーム１に対して前後方向に位置変更可能に位置決めするための位置決め機構６とを具備してなる。
【００２７】
＜背フレーム１＞
背フレーム１は、支持基部Ｃに設けられた主軸ｊ１を中心に後傾動作を行うものである。背フレーム１は、上下方向に延びた左右の側フレーム部１ａと、左右の側フレーム部１ａの上端部間に架設された上フレーム部１ｂと、左右の側フレーム部１ａの下端部からそれぞれ前方に延びる左右の下フレーム部１ｃと、左右の下フレーム部１ｃ同士を結合する下連結部１ｄとを備えている。左右の側フレーム部１ａ、上フレーム部１ｂ、左右の下フレーム部１ｃ、及び、下連結部１ｄは、合成樹脂により一体に成形されている。
【００２８】
左右の側フレーム部１ａは、それぞれ下に向かって漸次幅広となる部材の形状をなしている。左右の側フレーム部１ａは、それぞれが、側面視、且つ、正面視において、略くの字状をなしている。左右の側フレーム部１ａは、上側フレーム部分１１と下側フレーム部分１３とを屈曲部分１２を介して連続させたものである。上側フレーム部分１１は側面視において後傾しており、下側フレーム部分１３は側面視において前傾している。
【００２９】
上フレーム部１ｂは、側フレーム部１ａの上端部同士を連結するものである。上フレーム部１ｂの前面には、背板２の上端部を取り付けるために、前方に開口する複数の凹陥部１４が左右方向に間隔をあけて設けられている。上フレーム部１ｂの底面には、外側から各凹陥部１４内に連通してなるボルトｖ１を挿通するための図示しないボルト挿通孔が設けられている。上フレーム部１ｂの後面はフラットに形成されている。
【００３０】
左右の下フレーム部１ｃは、左右の側フレーム部１ａに連設されており前後方向に延びている。左右の下フレーム部１ｃは、その前部が支持基部Ｃに設けられた主軸ｊ１に対応する位置に配されている。左右の下フレーム部１ｃは、前端部が座Ｄの下方に配置された支持基部Ｃの両側にまで延出している。左右の下フレーム部１ｃは、その前部に、前側及び内側に開口し、主軸ｊ１の両端部が挿入される凹陥部１５を備えている。凹陥部１５は、隠蔽部材１７により隠蔽され得るようになっている。左右の下フレーム部１ｃは、側面視において後方に漸次上昇するように湾曲した形状をなしている。左右の下フレーム部１ｃは、側面視において後傾した態様をなしている。左右の下フレーム部１ｃは、その後部における上面側に、位置決め機構６を構成する軸孔１６１を有した軸受突起１６を備えている。
【００３１】
背フレーム１における下連結部１ｄは、左右の下フレーム部１ｃ同士を剛結するためのプレート状のものである。
【００３２】
側フレーム部１ａ、及び、下フレーム部１ｃは、側面視においてＳ字状をなすように一体に連続している。側フレーム部１ａにおける下側フレーム部分１３と下フレーム部１ｃとは、側面視において略くの字状をなしており、且つ、側フレーム部１ａと下フレーム部１ｃとは屈曲部１８を介して一体に連続している。
【００３３】
＜背板２＞
背板２は、合成樹脂により一体に形成されたものであり、周縁部に形成された背枠Ｋと、背枠Ｋの内側に配された背板本体Ｍとを備えている。
【００３４】
まずは、背枠Ｋについて説明する。
【００３５】
背枠Ｋは、上下方向に延びる左右の側フレーム部２ａと、側フレーム部２ａの上端部間を繋ぐ背板２の後端部である上フレーム部２ｂと、左右の側フレーム部２ａの下端部間を繋ぐ下フレーム部２ｃとを備えたものである。すなわち、背枠Ｋは、左右の側フレーム部２ａと、左右の側フレーム部２ａの上端間に設けられた上フレーム部２ｂと、左右の側フレーム部２ａの下端間に設けられた下フレーム部２ｃとを主体に構成された枠状のものである。
【００３６】
左右の側フレーム部２ａは、側面視において後傾した上側フレーム部分２１と側面視において前傾した下側フレーム部分２３とを前側に最も突出した突出部分２２を介して連続させてなるものである。
【００３７】
左右の側フレーム部２ａは、外側縁の後面側に背板カバー４における左右の縫い代部分４４を配設し得る凹陥状の縫い代部分配設部ｎｓを備えている。縫い代部分４４は、袋状の部位４ｈを形成するために、一方のカバー構成要素４１と他方のカバー構成要素４２とを縫着したことによって縫付け接合部分近傍に不可避的に形成された生地の余剰突出部分である。縫い代部分配設部ｎｓは、縫い代部分４４と係わり合うことによって、背板カバー４を背板２に安定的に位置決めさせている。すなわち、背板カバー４の内面側に形成された縫い代部分４４を、背板２の縫い代部分配設部ｎｓに位置決めすることによって、背板２に対する背板カバー４のずれ動きを抑制している。縫い代部分配設部ｎｓは、左右の側フレーム部２ａを構成する上側フレーム部分２１における外側端縁の背面側及び突出部分２２における外側端縁の背面側に上下方向に連続して設けられている。
【００３８】
なお、図２９は、主として、背板カバー４と背板２との位置決めを説明するための概略背面図である。説明の便宜上、背板２は背枠Ｋのみを示しており、縫い代部分４４や押し込み部材ｐ２についてはわかりやすさのために色塗り表示している。
【００３９】
下側フレーム部分２３は、下方に向かって漸次内方に偏位するように形成されている。左右の下側フレーム部分２３は、下方に向かって漸次離間距離が短くなるいわゆる下窄み態様をなすように配されている。
【００４０】
下側フレーム部分２３には、袋状をなす背板カバー４の開口側の自由端を保持し得る取付溝、すなわち第一、第二の取付溝ｍｚ１、ｍｚ２が設けられている。下側フレーム部分２３は、背板カバー４における一方のカバー構成要素４１の取付端縁４１ｅを取り付け得る第一の取付溝ｍｚ１、及び、背板カバー４における他方のカバー構成要素４２の取付端縁４２ｅを取り付け得る第二の取付溝ｍｚ２を備えている。第一、第二の取付溝ｍｚ１、ｍｚ２は、有底の溝状の部位を主体に構成されており、下側フレーム部分２３の端縁に沿って上下方向に延びており、それぞれ外側方に開放されている。第一、第二の取付溝ｍｚ１、ｍｚ２は、前後に隣接して配されている。すなわち、第一の取付溝ｍｚ１は第二の取付溝ｍｚ２の前に略平行に隣接して配されている。
【００４１】
下側フレーム部分２３における第一、第二の取付溝ｍｚ１、ｍｚ２の上の位置すなわち側面視における各取付溝ｍｚ１、ｍｚ２の上端部の上には、突出部分２２に形成された縫い代部分配設部ｎｓと、第一、第二の取付溝ｍｚ１、ｍｚ２とを空間的に連通させ得る連通路ｒｔが設けられている。連通路ｒｔは、外側すなわち左右に開放された溝状をなしている。
【００４２】
下側フレーム部分２３における第一、第二の取付溝ｍｚ１、ｍｚ２の下には、位置決め機構６を構成する軸孔２４１を有した突出部たる軸受突起２４（Ｌ）、２４（Ｒ）が前側に向かって左右に対をなして突設されている。より詳しく言えば、背板２は、他の部材である位置決め機構６を構成する左右のリンク６ａ、６ｂと回動可能に連結するための左右に対をなす左の突出部分たる左の軸受突起２４（Ｌ）と、右の突出部分たる右の軸受突起２４（Ｒ）とを備えている。
【００４３】
なお、背板２における左右の軸受突起２４（Ｌ）、２４（Ｒ）及びその近傍部分は、背板カバー４によって被覆されていない部位である露出部２６となっている。露出部２６に外装される化粧部材Ｅについては後で詳述する。
【００４４】
上フレーム部２ｂは、左右の側フレーム部２ａの上端間に一体に架設されたもので、平面視において後方に突出するように湾曲した形状をなしている。上フレーム部２ｂは、断面視において前後方向の寸法が上下方向の寸法よりも短く設定されている。上フレーム部２ｂの前には湾曲接続部ｗが配されている。
【００４５】
背板２の上フレーム部２ｂは、背フレーム１の上端部に接続するようになっている。すなわち、上フレーム部２ｂは、背面に背フレーム１の凹陥部１４に嵌合し得る嵌合突起２５を備えている。嵌合突起２５は、後方に向かって突設されている。嵌合突起２５には、ボルトｖ１が螺着されるねじ孔ｈ１が設けられている。上フレーム部２ｂの嵌合突起２５を、背フレーム１の凹陥部１４に内嵌めした上で、ねじ孔ｈ１に対して下側から挿入したボルトｖ１を螺着することにより、背板２の上端部である上フレーム部２ｂが、背フレーム１の上端部である上フレーム部１ｂに固定されるようになっている。
【００４６】
下フレーム部２ｃは、左右の側フレーム部２ａの下端部間に架設されたものである。下フレーム部２ｃは、背板カバー４における一方のカバー構成要素４１の取付端縁４１ｅを取り付け得る第一の取付溝ｍｚ１、及び、背板カバー４における他方のカバー構成要素４２の取付端縁４２ｅを取り付け得る第二の取付溝ｍｚ２を備えている。第一、第二の取付溝ｍｚ１、ｍｚ２は、下フレーム部２ｃの端縁に沿って左右方向に延びており、それぞれ下方に開放されている。第一、第二の取付溝ｍｚ１、ｍｚ２は、前後に隣接して配されている。すなわち、第一の取付溝ｍｚ１は第二の取付溝ｍｚ２の前に略平行に隣接して配されている。
【００４７】
この実施形態では、背板２の下部に設けられた第一、第二の取付溝ｍｚ１、ｍｚ２が、それぞれ、左の軸受突起２４（Ｌ）及び右の軸受突起２４（Ｒ）の介在によって、中間、左側、及び、右側の三つに分離している構成をなしている。すなわち、背板２の第一、第二の取付溝ｍｚ１、ｍｚ２は、下フレーム部２ｃにおける左の軸受突起２４（Ｌ）と右の軸受突起２４（Ｒ）との間に設けられた中間取付溝ｍｚ１（Ｃ）、ｍｚ２（Ｃ）と、左の軸受突起２４（Ｌ）よりも左に位置する側フレーム部２ａに設けられた左側取付溝ｍｚ１（Ｌ）、ｍｚ２（Ｌ）と、右の軸受突起２４（Ｒ）よりも右に位置する側フレーム部２ａに設けられた右側取付溝ｍｚ１（Ｒ）、ｍｚ２（Ｒ）とを備えている。
【００４８】
次に、背板本体Ｍについて説明する。
【００４９】
背板本体Ｍは、背枠Ｋの内側に配されたものである。背板本体Ｍは、着座者の腰部分に略対応した上下方向中間位置に配された腰部領域ｍ１と、腰部領域ｍ１よりも上に配された上領域ｍ２と、腰部領域ｍ１よりも下に配された下領域ｍ３とを備えている。そして、腰部領域ｍ１の剛性が、上領域ｍ２、及び、下領域ｍ３の剛性よりも高く設定されている。換言すれば、上領域ｍ２、及び、下領域ｍ３は、腰部領域ｍ１よりも弾性変形し易く設定されている。
【００５０】
腰部領域ｍ１は、左右の側フレーム部２ａ間に設けられた左右方向に延びる複数の帯状部材ｍ１１を主体に構成されている。より具体的に言えば、複数の帯状部材ｍ１１は、左右の側フレーム部２ａにおける上側フレーム部分２１の下端部間を繋ぐように配設されている。腰部領域ｍ１の複数の帯状部材ｍ１１は、スリットｍ１３を介して一定間隔で上下方向に一定間隔をあけて並んで配設されている。この実施形態では、腰部領域ｍ１は、正面視において左右方向に直線状に延び、互いに平行をなすように上下方向に並んで配された五本の帯状部材ｍ１１により構成されている。帯状部材ｍ１１は、断面視において略長方形状をなしている。腰部領域ｍ１における隣り合う帯状部材ｍ１１同士は、上下接続片ｍ１２を介して部分的に連結されている。帯状部材ｍ１１は、左右の側フレーム部２ａ間に亘って略同じ幅寸法に設定されている。なお、隣り合う帯状部材ｍ１１間に形成されたスリットｍ１３の幅寸法と腰部領域ｍ１の帯状部材ｍ１１の幅寸法は略同じに設定されている。
【００５１】
上領域ｍ２は、上フレーム部２ｂと腰部領域ｍ１の上端部すなわち最も上側に配された腰部領域ｍ１を構成する帯状部材ｍ１１との間に設けられた上下方向に延びる複数の帯状部材ｍ２１を主体に構成されている。より具体的に言えば、上領域ｍ２は、正面視において上下方向に延びる複数の帯状部材ｍ２１と、複数の帯状部材ｍ２１と上フレーム部２ｂとの間に位置してなり各帯状部材ｍ２１の上にそれぞれ連設されてなる複数の接続部たる湾曲接続部ｗとを備えている。
【００５２】
上領域ｍ２を構成する複数の帯状部材ｍ２１は、上下方向に延びてなるものであり、スリットｍ２３を介して一定間隔で左右方向に並んで配設されている。帯状部材ｍ２１は、湾曲接続部ｗに接続する上端部から腰部領域ｍ１の帯状部材ｍ１１に接続する下端部までの間が略同じ幅寸法に設定されている。複数の帯状部材ｍ２１は、断面視において略長方形状をなしている。
【００５３】
上領域ｍ２は、その上下方向中間位置に配された中部領域構成部ｒ１と、中部領域構成部ｒ１の上に配された上部領域構成部ｒ２と、中部領域構成部ｒ１の下に配された下部領域構成部ｒ３とを備えている。そして、中部領域構成部ｒ１の剛性が、上部領域構成部ｒ２、及び、下部領域構成部ｒ３の剛性よりも低く設定されている。つまり、上領域ｍ２における隣り合う帯状部材ｍ２１同士は、左右接続片ｍ２２を介して部分的に連結されている。そして、中部領域構成部ｒ１における左右接続片ｍ２２による横方向への連結度合いが、上部領域構成部ｒ２、及び、下部領域構成部ｒ３における左右接続片ｍ２２による横方向への連結度合いよりも低く設定されている。
【００５４】
具体的には、中部領域構成部ｒ１では、左右方向に延びる仮想直線ｓ１上において、隣り合う二本の帯状部材ｍ２１同士のみを左右接続片ｍ２２を介して接続している。上部領域構成部ｒ２では、左右方向に延びる仮想直線ｓ２上において、隣り合う三本の帯状部材ｍ２１同士を左右接続片ｍ２２を介して連続的に接続している部分ｒ２１を備えている。下部領域構成部ｒ３では、左右方向に延びる仮想直線ｓ３上において、隣り合う三本の帯状部材ｍ２１同士を左右接続片ｍ２２を介して連続的に接続している部分ｒ３１を備えている。つまり、この実施形態では、左右接続片ｍ２２による仮想直線ｓ１、ｓ２、ｓ３上における帯状部材ｍ２１の連結本数によって横方向への連結度合いの高低を設定したものとなっている。
【００５５】
上領域ｍ２に設けられた湾曲接続部ｗは、正面視において上下方向に延びる複数の帯状部材ｍ２１と上フレーム部２ｂとの間に介設された薄板の帯状をなすものである。この実施形態では、湾曲接続部ｗは、前方、より具体的には、前上方に向かって凸をなすように湾曲した形状をなしている。湾曲接続部ｗは、各帯状部材ｍ２１に対応して複数設けられている。湾曲接続部ｗの厚み寸法は、帯状部材ｍ２１の厚み寸法と同じに設定されている。湾曲接続部ｗは薄板状をなしており、その後端縁は、上フレーム部２ｂにおける上端部にのみ接続している。上フレーム部２ｂよりも前に位置している湾曲接続部ｗの上端は、上フレーム部２ｂの上端よりも高い位置に配されている。湾曲接続部ｗは、帯状部材ｍ２１に接続する前端部から上フレーム部２ｂに接続する後端部までの間が略同じ幅寸法に設定されている。複数の湾曲接続部ｗは、断面視において略長方形状をなしている。湾曲接続部ｗは、正面視において、上フレーム部２ｂの下端縁ｎ１よりも上に位置している。
【００５６】
背板２は、隣り合う湾曲接続部ｗ間に形成されたスリットｗｓの幅寸法ｗ１が、隣り合う帯状部材ｍ２１間に形成されたスリットｍ２３の幅寸法ｗ２よりも短く設定されている。より具体的に言えば、隣り合う湾曲接続部ｗ間に形成されたスリットｗｓの幅寸法ｗ１は、隣り合う帯状部材ｍ２１間に形成されたスリットｍ２３の幅寸法ｗ２の約三分の一に設定されている。上領域ｍ２の帯状部材ｍ２１の幅寸法ｗ４は、湾曲接続部ｗの幅寸法ｗ３よりも短く設定されている。なお、隣り合う帯状部材ｍ２１間に形成されたスリットｍ２３の幅寸法ｗ２と上領域ｍ２の帯状部材ｍ２１の幅寸法ｗ４は略同じに設定されている。
【００５７】
湾曲接続部ｗは、その前表面が、平らな湾曲面をなすように形成されている。つまり、湾曲接続部ｗは、その前面の外表面が、滑らかに形成されており、凹凸形状が存在しないようになっている。湾曲接続部ｗの外面と帯状部材ｍ２１の外面とは面一に設定されている。このようにすることで、湾曲接続部ｗの上を覆うとともに当該湾曲接続部ｗに裏当て支持される背板カバー４に、湾曲接続部ｗの外面形状に起因する凹凸形状が出現しにくいようになっている。
【００５８】
下領域ｍ３は、下フレーム部２ｃと腰部領域ｍ１の下端部すなわち最も下側に配された腰部領域ｍ１を構成する帯状部材ｍ１１との間に設けられた上下方向に延びる複数の帯状部材ｍ３１を主体に構成されている。複数の帯状部材ｍ３１は、スリットｍ３３を介して一定間隔をあけて左右方向に並んで配設されている。帯状部材ｍ３１は、腰部領域ｍ１の帯状部材ｍ１１に接続する上端部から下フレーム部２ｃに接続する下端部までの間が略同じ幅寸法に設定されている。複数の帯状部材ｍ３１は、断面視において略長方形状をなしている。下領域ｍ３における左右方向中間部に配された複数の帯状部材ｍ３１は、当該下領域ｍ３における左右両側部に配された複数の帯状部材ｍ３１よりも長い寸法に設定されている。なお、隣り合う帯状部材ｍ３１間に形成されたスリットｍ３３の幅寸法と下領域ｍ３の帯状部材ｍ３１の幅寸法は略同じに設定されている。
【００５９】
背板２は、上述した背板カバー４によって覆われていない露出部２６を備えている。この実施形態では、露出部２６が、別体をなす他の部材である左右のリンク６ａ、６ｂに回転可能に接続するための被カバー体である背板２の接続端部たる軸受突起２４及びその周辺の部位によって構成されている。換言すれば、露出部２６は、背板２に突設された突出部である軸受突起２４を含んでなるものである。
【００６０】
なお、この実施形態では、上領域ｍ２の帯状部材ｍ２１、下領域ｍ３の帯状部材ｍ３１、及び、腰部領域ｍ１の上下接続片ｍ１２の各厚み寸法は略同じに設定されている。また、腰部領域ｍ１の帯状部材ｍ１１、及び、上領域ｍ２の左右接続片ｍ２２の各厚み寸法は略同じに設定されている。
【００６１】
そして、腰部領域ｍ１の帯状部材ｍ１１、及び、上領域ｍ２の左右接続片ｍ２２の各厚み寸法は、上領域ｍ２の帯状部材ｍ２１、下領域ｍ３の帯状部材ｍ３１、及び、腰部領域ｍ１の上下接続片ｍ１２の各厚み寸法よりも厚く設定されている。
【００６２】
このように構成された背板２における背板本体Ｍは、腰部領域ｍ１の帯状部材ｍ１１が比較的肉厚を有したものとなるため、着座者の腰部を強く支持し得るものとなる。さらに、背板２における背板本体Ｍは、上領域ｍ２の左右接続片ｍ２２が比較的肉厚を有したものとなるため、連結箇所に集中する応力に好適に耐え得るものとなっている。
【００６３】
以上に述べた背板２には、背板カバーＥによって被覆されていない露出部２６を被覆する化粧部材Ｅが設けられている。
【００６４】
＜化粧部材Ｅ＞
化粧部材Ｅは、背板２とは別体をなしている。化粧部材Ｅは、合成樹脂により一体に形成されている。化粧部材Ｅは、露出部２６の外観特性とは異なる外観特性を付与し得るものである。なお、説明の便宜上、図中において、化粧部材Ｅは色つけ表示してある。つまり、椅子Ａ全体における一部分に、化粧部材Ｅを用いていわゆるスポット的な外観特性を付与することによって、使用者に好適な視覚的印象を与え得るものとなっている。なお、この実施形態における化粧部材Ｅの外観特性は色彩である。すなわち、化粧部材Ｅは、背板２とは異なる色彩を備えたものである。化粧部材Ｅは、背板２の色彩が表出し得る露出部２６を覆うことにより背板２とは異なる色彩を使用者に見せることができるものとなっている。一例としては、背板２が白色をなした合成樹脂製のものである場合には、化粧部材Ｅは、白色以外の色彩（例えば黒色）をなしたものに設定することが可能である。化粧部材Ｅの色彩は、模様を含む適宜の色彩を設けることができるのはもちろんのことである。なお、他の外観特性としては、表面形状や材質（例えば金属など）により発揮され得る質感を挙げることができる。
【００６５】
化粧部材Ｅは、左右の突出部分である軸受突起２４に外嵌し得る凹陥形状をなす化粧部材本体ｅ１と、化粧部材本体ｅ１の周縁部に設けられた鍔部ｅ２とを備えている。化粧部材本体ｅ１は、軸受突起２４の軸孔２４１に対応させた左右方向に連通した軸挿通孔ｅ１１を有している。
【００６６】
鍔部ｅ２は、背板２の軸受突起２４の周縁領域に形成された凹み部２ｈに嵌合し得るようになっている。鍔部ｅ２は、背板２に設けられた位置決め凹部２ｉに内嵌する位置決め凸部ｅ２１と、第一、第二の取付溝ｍｚ１（Ｌ）、ｍｚ１（Ｒ）、ｍｚ２（Ｌ）、ｍｚ２（Ｒ）に対応する位置に設けられた切欠部ｅ２２とを備えてなる。なお、背板カバー４の正面視における左右下角部分に設けられた凹陥状の端縁、すなわち、一方のカバー構成要素４１の露出部形成端縁４１１は、鍔部ｅ２の外縁よりも内側すなわち化粧部材本体ｅ１側に位置し得るように設定されている。
【００６７】
続いて、背板カバー４について説明する。
【００６８】
＜背面カバー４＞
背板カバー４は、布等の生地を主体に構成されてなるものである。背板カバー４は、背板２における一面側たる前面側を被覆し得る一方のカバー構成要素４１、及び、布等の生地を主体に構成されてなり背板２における他面側たる後面側を被覆し得る他方のカバー構成要素４２を有したものである。背板２の前側に位置する一方のカバー構成要素４１の裏面には、シート状をなす発泡体により構成されたインナークッション４３が配設されている。この実施形態における背板カバー４は、ファスナーや連結ボタン等の連結具を用いて離間したカバー構成要素同士を連結する構成を採用していない。つまり、背板カバー４は、連結具を用いることなく、背板２の略全体を覆うことができるように構成されている。
【００６９】
背板カバー４は、一方のカバー構成要素４１における側部及び上部の周縁部と他方のカバー構成要素に４２における側部及び上部の周縁部とを部分的に縫着して形成された下側に向かって開口し得る袋状の部位４ｈを備えている。袋状の部位４ｈの一部である背板カバー４における上部の背面側部分には、背板２の嵌合突起２５が背板カバー４の外方に突出し得る連通孔４５ａを有したプレート部材４５が取り付けられている。
【００７０】
背板カバー４における一方のカバー構成要素４１の取付端縁４１ｅ（Ｃ）、４１ｅ（Ｌ）、４１ｅ（Ｒ）は、合成樹脂により形成された帯状をなす押し込み部材ｐ１を備えている。押し込み部材ｐ１は、一方のカバー構成要素４１を構成する生地に縫い付けられている。
【００７１】
背板カバー４における他方のカバー構成要素４２の取付端縁４２ｅ（Ｃ）、４２ｅ（Ｌ）、４２（Ｒ）は、合成樹脂により形成された帯状をなす押し込み部材ｐ２を備えている。なお、他方のカバー構成要素４２の取付端縁４２ｅ（Ｃ）、４２ｅ（Ｌ）、４２（Ｒ）の押し込み部材ｐ２は、断面視Ｌ字状の形状をなしている。他方のカバー構成要素４２の押し込み部材ｐ２は、第二の取付溝ｍｚ２の奥に差し込まれる被挿入内片部ｐ２１と、被挿入内片部ｐ２１の外縁部から第一の取付溝ｍｚ１の開口側に向かって延出する延出外片部ｐ２２とを備えている。押し込み部材ｐ２の被挿入内片部ｐ２１は、他方のカバー構成要素４２を構成する生地に縫い付けられている。
【００７２】
他方のカバー構成要素４２を構成する生地の一部は、押し込み部材ｐ２の延出外片部ｐ２２の先端縁に押されて第一の取付溝ｍｚ１に近接する位置に位置決めされることになる。つまり、断面視Ｌ字状をなす押し込み部材ｐ２を用いることによって、他方のカバー構成要素４２の取付端縁４２ｅを好適に第二の取付溝ｍｚ２に取り付け得るとともに、一方のカバー構成要素４１における取付端縁４１ｅ（Ｃ）、４１ｅ（Ｌ）、４１（Ｒ）、及び、他方のカバー構成要素４２の取付端縁４２ｅ（Ｃ）、４２ｅ（Ｌ）、４２（Ｒ）との間に外観を損ねるような隙間が形成され難いものとなるため、好適な外観を形成することができるものとなる。
【００７３】
＜位置決め機構６＞
位置決め機構６は、背板２を、前位置（ｆ）と後位置（ｒ）の何れかに選択して位置決めし得るものである。すなわち、背板２は、位置決め機構６によって、当該背板２の上端部を回動中心として前位置（ｆ）と後位置（ｒ）との間で位置変更可能に構成されている。
【００７４】
この実施形態では、背板２が、前位置（ｆ）に位置する場合と後位置（ｒ）に位置する場合とによって、着座者の腰部に対して主体的に係わり得る部位を異ならせている。つまり、背板２が前位置（ｆ）にある場合には、着座者の腰部に対して背板本体Ｍにおける腰部領域ｍ１の下部が主体的に係わり得るものとなっており、背板２が後位置（ｒ）にある場合には、着座者の腰部に対して背板本体Ｍにおける腰部領域ｍ１の下部よりも上側の部位が主体的に係わり得るものとなっている。
【００７５】
位置決め機構６は、背板２の弾性変形を利用して、前位置（ｆ）又は後位置（ｒ）の何れかの位置に安定的に位置し得るように構成されている。
【００７６】
位置決め機構６は、背フレーム１に対して前後方向に回動し得るように枢支された左右に対をなして配された左右のリンク６ａ、６ｂを備えている。
【００７７】
位置決め機構６は、背フレーム１の下部における側面視後傾部分と背板２の下端部との間に設けられている。
【００７８】
位置決め機構６は、背フレーム１の軸受突起１６に支持された左右のリンク６ａ、６ｂと、左右のリンク６ａ、６ｂの回動端部を背板２の軸受突起２４に回動可能に連結する先端軸ｓｊと、一方のリンクである左のリンク６ａを直接的に回動操作するための操作レバー６ｃとを備えている。左右のリンク６ａ、６ｂは、前方に傾斜した前位置（ａ）と、後方に傾斜した後位置（ｃ）との間でのみ回動し得るように設定されている。
【００７９】
左のリンク６ａ（正面視における左側）は、操作レバー６ｃに加えられる操作力により前後方向に回動するもので、内側のリンクメンバ６１と外側のリンクメンバ６２とを具備してなる。
【００８０】
内側のリンクメンバ６１は、その下部が背フレーム１における軸受突起１６の内側面に添接するとともにその上部が背板２における軸受突起２４の内側面に添接するものである。内側のリンクメンバ６１は、背フレーム１における軸受突起１６の軸孔１６１に貫挿される基端軸ｋｊと、背板２における軸受突起２４の軸孔２４１に貫挿される先端軸ｓｊとを一体に備えている。内側のリンクメンバ６１の中間位置には、ボルトｖ２が挿通し得るボルト挿通孔ｈ２が形成されている。
【００８１】
外側のリンクメンバ６２は、その下部が背フレーム１における軸受突起１６の外側面に添接するとともにその上部が背板２における軸受突起２４の外側面に添接するものであり、基端軸ｋｊの貫通端が嵌合する図示しない基端側嵌合穴と、先端軸ｓｊの貫通端が嵌合する先端側嵌合穴６２２とを備えている。外側のリンクメンバ６２の中間位置には、外側のリンクメンバ６２と内側のリンクメンバ６１との間隔を一定に保つためのスペーサ突起６３が設けられている。スペーサ突起６３には、ボルト挿通孔ｈ２を通して挿入されたボルトｖ２が螺合する部位が設けられている。すなわち、ボルトｖ２を介して内側のリンクメンバ６１と外側のリンクメンバ６２とが結合されるようになっている。
【００８２】
スペーサ突起６３は、その前端縁部又は後端縁部が背フレーム１における軸受突起１６の前面又は後面に当接し得るようになっており、左のリンク６ａが前位置（ａ）から後位置（ｃ）までの間でのみ回動し得るように回動範囲を規制する機能を備えている。
【００８３】
外側のリンクメンバ６２における基端部の外側面には、軸心を基端側嵌合穴６２１の軸心に一致させて角柱状のボス部６４が突設されている。ボス部６４には、操作レバー６ｃの基端部が嵌着され、ボルトｖ７によりボス部ｈ７に対して抜け止めされている。なお、操作レバー６ｃの基端部周縁と外側のリンクメンバ６２との間には、リング部材６ｄが介設されている。外側のリンクメンバ６２に接続された操作レバー６ｃは、外側のリンクメンバ６２に対して一体的に回動し得るようになっている。
【００８４】
右のリンク６ｂ（正面視における右側）は、前述した左のリンク６ａに準じた構成をなすものであり、対応する構成については同一の符号を付した上で説明を省略する。なお、右のリンク６ｂにおいて、左のリンク６ａと異なっている点は、外側のリンクメンバ６２に操作レバーが設けられていない点である。なお、右のリンク６ｂに、左のリンク６ａと同様に操作レバーを設けるように構成してよいのはもちろんである。
【００８５】
以上説明したように、本実施形態に係る椅子Ａは、背板２を有した背凭れＨを備えてなるものである。そして、背板２が、周縁部に形成された背枠Ｋと、背枠Ｋの内側に配された背板本体Ｍとを備えている。背枠Ｋが、上下方向に延びる左右の側フレーム部２ａと、左右の側フレーム部２ａの上端部間を繋ぐ上フレーム部２ｂとを備えている。背板本体Ｍが、正面視において上下方向に延びる複数の帯状部材ｍ２１を備えてなるものであり、複数の帯状部材ｍ２１と上フレーム部２ｂとの間に、各帯状部材ｍ２１の上にそれぞれ連設されてなる複数の接続部たる湾曲接続部ｗが設けられてなるものである。隣り合う湾曲接続部ｗ間に形成されたスリットｗｓの幅寸法ｗ１は、隣り合う帯状部材ｍ１１間に形成されたスリットｍ１３の幅寸法ｗ２よりも短く設定されている。このため、背板本体Ｍの上端部が好適に弾性変形し得る構成を有するとともに背板カバー４に凹み形状が形成され難い構成を有した椅子Ａを提供することができるものとなる。つまり、湾曲接続部ｗを有した構成であるため、背板本体Ｍの上端部を弾性変形し易い構成とすることができるものとなっている。また、隣り合う湾曲接続部ｗ間のスリットｗｓの幅寸法ｗ１が短く設定されているものであるため、背板カバー４をした場合においても、その背板カバー４にスリットｗｓに起因する凹み形状が生じにくいものとなっている。
【００８６】
この実施形態では、背板２が、当該背板２の後端部である上フレーム部２ｂ側から、接続部たる湾曲接続部ｗ間のスリットｗｓ、上領域ｍ２の帯状部材ｍ２１間のスリットｍ２３の順で上下に並び配された構成を備えている。このため、背板２に設けられた各スリットｗｓ、ｍ２３によって、上から下に向かって段々と拡開幅が広くなっている構成を有しているので、撓み度合いにグラデーションを与え得るものとなっている。
【００８７】
帯状部材ｍ２１の幅寸法ｗ４が、湾曲接続部ｗの幅寸法ｗ３よりも短く設定されている。このため、帯状部材ｍ２１は着座者の荷重を受けた際に好適に弾性変形し得るものとなっている。
【００８８】
湾曲接続部ｗの前面側が、平滑な湾曲面をなすように形成されている。このため、平らな湾曲面に裏当て支持される背板カバー４に凹凸形状が反映されにくいものとなっている。
【００８９】
背枠Ｋが、左右の側フレーム部２ａの下端部間を繋ぐ下フレーム部２ｃを備えたものである。そして、背板本体Ｍが、着座者の腰部分に略対応した上下方向中間位置に配されてなる腰部領域ｍ１と、腰部領域ｍ１よりも上に配されてなり湾曲接続部ｗの下端部と腰部領域ｍ１の上端部との間に設けられた複数の帯状部材ｍ２１を主体に構成された上領域ｍ２とを備えている。このため、腰部領域ｍ１の上に位置してなる上領域ｍ２は、帯状部材ｍ２１及び湾曲接続部ｗの協働により、着座者の荷重を受けて好適に弾性変形し得るものとなっている。
【００９０】
なお、本発明は、以上に詳述した実施形態に限られるものではない。
【００９１】
背板本体は、上下方向に延びる複数の帯状部材を有した構成であればよく、本実施形態に示すようなものに限定されるものではない。
【００９２】
接続部は、上述した実施形態に示されるものには限定されるものではない。つまり、接続部は、湾曲したものに限られるものではない。接続部は、側面視において、直角状をなすものであってもよい。接続部は、側面視において前面側部分が隣接する帯状部材よりも部分的に突出したものであってもよい。
【００９３】
背板カバーは、必ずしも必須の構成ではない。つまり、本発明の椅子は、背板カバーを装着していない状態で使用することが可能である。
【００９４】
背凭れには、着座者の頭部を後側から支持するためのヘッドレストを取り付けてよいのはもちろんのことである。
【００９５】
座や背凭れには、着座者の肘や腕を下側から支持するための肘掛けを取り付けるようにしてもよいのはもちろんのことである。
【００９６】
その他、各部の具体的構成についても上記実施形態に限られるものではなく、本発明の趣旨を逸脱しない範囲で種々変形が可能である。
【符号の説明】
【００９７】
２…背板
２ａ…側フレーム部
２ｂ…上フレーム部
Ａ…椅子
Ｈ…背凭れ
Ｋ…背枠
Ｍ…背板本体
ｍ２１…帯状部材
ｗ…湾曲接続部（接続部）
【図１】
2018068675.tif 000003
【図２】
2018068675.tif 000004
【図３】
2018068675.tif 000005
【図４】
2018068675.tif 000006
【図５】
2018068675.tif 000007
【図６】
2018068675.tif 000008
【図７】
2018068675.tif 000009
【図８】
2018068675.tif 000010
【図９】
2018068675.tif 000011
【図１０】
2018068675.tif 000012
【図１１】
2018068675.tif 000013
【図１２】
2018068675.tif 000014
【図１３】
2018068675.tif 000015
【図１４】
2018068675.tif 000016
【図１５】
2018068675.tif 000017
【図１６】
2018068675.tif 000018
【図１７】
2018068675.tif 000019
【図１８】
2018068675.tif 000020
【図１９】
2018068675.tif 000021
【図２０】
2018068675.tif 000022
【図２１】
2018068675.tif 000023
【図２２】
2018068675.tif 000024
【図２３】
2018068675.tif 000025
【図２４】
2018068675.tif 000026
【図２５】
2018068675.tif 000027
【図２６】
2018068675.tif 000028
【図２７】
2018068675.tif 000029
【図２８】
2018068675.tif 000030
【図２９】
2018068675.tif 000031